(57)【要約】【課題】ユーザの利便性を向上させた電子機器を提供する。【解決手段】電子機器１は、第１表示部１１と、第２表示部１２と、第１連結部１３と、を備える。第１表示部１１は、光の透過性を有する。第１連結部１３は、第１表示部１１及び第２表示部１２が開状態と閉状態とに相互に遷移するように、第１表示部１１と第２表示部１２とを連結する。開状態とは、第１表示部１１と第２表示部１２とが重ならない状態である。閉状態とは、第１表示部１１と第２表示部１２とが重なる状態である。第１表示部１１と第２表示部１２とが重なる閉状態において第１表示部１１側から第２表示部１２を視認することが可能である。【選択図】図１
2016129271.tif 000002
【特許請求の範囲】
【請求項１】
光の透過性を有する第１表示部と、
第２表示部と、
前記第１表示部と前記第２表示部とが重ならない開状態と、前記第１表示部と前記第２表示部とが重なる閉状態とに相互に遷移するように、前記第１表示部と前記第２表示部とを連結する第１連結部と、を備え、
前記第１表示部と前記第２表示部とが重なる閉状態において前記第１表示部側から前記第２表示部を視認することが可能である
電子機器。
【請求項２】
前記第１表示部と前記第２表示部とが開状態に遷移した場合に、前記第１表示部に重なるよう又は前記第２表示部に重なるように相互に移動することが可能であり、接触を検知する検知部をさらに備える
請求項１に記載の電子機器。
【請求項３】
前記検知部が前記第１表示部に重なるように移動した場合には、前記検知部の検知結果に基づいて前記第１表示部に表示される画像を制御し、前記検知部が前記第２表示部に重なるように移動した場合には、前記検知部の検知結果に基づいて前記第２表示部に表示される画像を制御する制御部をさらに備える
請求項２に記載の電子機器。
【請求項４】
前記制御部は、前記第１表示部と前記第２表示部とが重なる閉状態において、関連する画像を前記第１表示部と前記第２表示部とにそれぞれ表示させる
請求項３に記載の電子機器。
【請求項５】
前記制御部は、前記第１表示部と前記第２表示部とが重なる閉状態において、一のコンテンツに基づく関連する画像を前記第１表示部と前記第２表示部とにそれぞれ表示させる
請求項３に記載の電子機器。
【請求項６】
前記第１表示部と前記第２表示部とが開状態に遷移した場合において、前記検知部が前記第１表示部に重なるように移動すると、前記検知部は、前記第１表示部の一方の面側に配され、前記検知部が前記第２表示部に重なるように移動すると、前記検知部は、前記第１表示部の前記一方の面側とは反対側に面した、前記第２表示部の他方の面側に配される
請求項２から５のいずれか一項に記載の電子機器。
【請求項７】
前記第１表示部と前記第２表示部とが閉状態に遷移した場合に、３次元表示を行うための視差バリアを前記第１表示部に表示させると共に、３次元表示を行うための３次元用画像を前記第２表示部に表示させる制御部をさらに備える
請求項１に記載の電子機器。
【請求項８】
前記第１表示部及び前記第２表示部の向きを検出する検出部をさらに備え、
前記制御部は、前記検出部の検出結果に基づいて、前記第１表示部に表示される視差バリアと、前記第２表示部に表示される３次元用画像との向きを変更する
請求項７に記載の電子機器。
【請求項９】
前記第１表示部に動画を表示させるよう制御すると共に、前記第２表示部に静止画又は文字を表示させるよう制御する制御部をさらに備える
請求項１に記載の電子機器。
【請求項１０】
接触を検知する検知部と、
前記第２表示部と前記検知部とが重なるように配されることが可能になるように、前記第２表示部における前記第１表示部と連結されている一方の辺とは異なる他方の辺側において、前記第２表示部と前記検知部とを連結する第２連結部をさらに備える
請求項１又は９に記載の電子機器。
【請求項１１】
前記第１表示部は、透明ディスプレイであり、
前記第２表示部は、電子ペーパーである
請求項９又は１０に記載の電子機器。
【発明の詳細な説明】
【技術分野】
【０００１】
本発明は、複数の表示部を備える電子機器に関する。
【背景技術】
【０００２】
電子機器の一例には、携帯電話機が挙げられる。携帯電話機には、２つの筐体をヒンジ部で接続して、折り畳み可能としたタイプがある。折り畳み型の携帯電話機には、２つの筐体が閉状態になる場合でも容易に操作できるようにするために、透明ディスプレイを備えるタイプがある（特許文献１参照）。
【先行技術文献】
【特許文献】
【０００３】
【特許文献１】特開２０１２−１２９７６４号公報
【発明の概要】
【発明が解決しようとする課題】
【０００４】
上述したように、電子機器には、透明ディスプレイを備えるタイプがある。近年は、透明ディスプレイが光透過性を有するという利点を生かして、さらにユーザにとって利便性の高い電子機器の登場が望まれている。
【０００５】
本発明は、ユーザの利便性を向上させた電子機器を提供することを目的とする。
【課題を解決するための手段】
【０００６】
本発明の電子機器は、第１表示部と、第２表示部と、第１連結部と、を備える。前記第１表示部は、光の透過性を有する。前記第１連結部は、第１表示部及び第２表示部が開状態と閉状態とに相互に遷移するように、前記第１表示部と前記第２表示部とを連結する。開状態とは、前記第１表示部と前記第２表示部とが重ならない状態である。閉状態とは、前記第１表示部と前記第２表示部とが重なる状態である。前記第１表示部と前記第２表示部とが重なる閉状態において前記第１表示部側から前記第２表示部を視認することが可能である。
【０００７】
電子機器は、検知部をさらに備えることが好ましい。前記検知部は、前記第１表示部と前記第２表示部とが開状態に遷移した場合に、前記第１表示部に重なるよう又は前記第２表示部に重なるように相互に移動することが可能である。前記検知部は、接触を検知する。
【０００８】
電子機器は、以下のような制御部をさらに備えることが好ましい。前記制御部は、前記検知部が前記第１表示部に重なるように移動した場合には、前記検知部の検知結果に基づいて前記第１表示部に表示される画像を制御する。前記制御部は、前記検知部が前記第２表示部に重なるように移動した場合には、前記検知部の検知結果に基づいて前記第２表示部に表示される画像を制御する。
【０００９】
電子機器は、以下のような制御部をさらに備えることが好ましい。前記制御部は、前記第１表示部と前記第２表示部とが重なる閉状態において、関連する画像を前記第１表示部と前記第２表示部とにそれぞれ表示させる。
【００１０】
電子機器は、以下のような制御部をさらに備えることが好ましい。前記制御部は、前記第１表示部と前記第２表示部とが重なる閉状態において、一のコンテンツに基づく関連する画像を前記第１表示部と前記第２表示部とにそれぞれ表示させる。
【００１１】
前記第１表示部と前記第２表示部とが開状態に遷移した場合において、前記検知部が前記第１表示部に重なるように移動すると、前記検知部は、前記第１表示部の一方の面側に配されることが好ましい。前記検知部が前記第２表示部に重なるように移動すると、前記検知部は、前記第１表示部の前記一方の面側とは反対側に面した、前記第２表示部の他方の面側に配されることが好ましい。
【００１２】
電子機器は、以下のような制御部をさらに備えることが好ましい。前記制御部は、前記第１表示部と前記第２表示部とが閉状態に遷移した場合に、３次元表示を行うための視差バリアを前記第１表示部に表示させる。前記制御部は、前記第１表示部と前記第２表示部とが閉状態に遷移した場合に、３次元表示を行うための３次元用画像を前記第２表示部に表示させる。
【００１３】
電子機器は、検出部をさらに備えることが好ましい。前記検出部は、前記第１表示部及び前記第２表示部の向きを検出する。前記制御部は、前記検出部の検出結果に基づいて、前記第１表示部に表示される視差バリアと、前記第２表示部に表示される３次元用画像との向きを変更する
【００１４】
電子機器は、以下のような制御部をさらに備えることが好ましい。前記制御部は、前記第１表示部に動画を表示させるよう制御する。前記制御部は、前記第２表示部に静止画又は文字を表示させるよう制御する。
【００１５】
電子機器は、検知部と、第２連結部と、をさらに備えることが好ましい。前記検知部は、接触を検知する。前記第２連結部は、前記第２表示部と前記検知部とが重なるように配されることが可能になるように、前記第２表示部における前記第１表示部と連結されている一方の辺とは異なる他方の辺側において、前記第２表示部と前記検知部とを連結する。
【００１６】
前記第１表示部は、透明ディスプレイであることが好ましい。前記第２表示部は、電子ペーパーであることが好ましい。
【発明の効果】
【００１７】
本発明によれば、ユーザの利便性を向上させた電子機器を提供することができる。
【図面の簡単な説明】
【００１８】
【図１】電子機器の第１の例について説明するための図である。
【図２】電子機器の第２の例について説明するための図である。
【図３】検知部の移動について説明するための図である。
【図４】電子機器について説明するためのブロック図である。
【図５】３次元表示の一例について説明するための図である。
【図６】第１表示部と第２表示部に表示される画像の一例について説明するための図である。
【図７】視差バリア方式について説明するための図である。
【図８】電子機器の第３の例について説明するための図である。
【図９】電子機器を側面（上面）から見た場合における、第１表示部、第２表示部及び検知部の折り畳み形態について説明するための図である。
【発明を実施するための形態】
【００１９】
以下、本発明の一実施形態について説明する。図１は、電子機器１の第１の例について説明するための図である。
【００２０】
図１に示す電子機器１は、第１表示部１１と、第２表示部１２と、第１連結部１３と、を備える。
第１表示部１１は、光の透過性を有する。すなわち、第１表示部１１は、透過型の表示部である。このため、第１表示部１１は、表面側から裏面側の景色を透かして視認することが可能であると共に、裏面側から表面側の景色を透かして視認することが可能である。第１表示部１１は、ディスプレイパネル１１ａ、及びディスプレイパネル１１ａを保持する枠体１１ｂ（筐体）等を備える。第１表示部１１のディスプレイパネル１１ａは、例えば、液晶パネルである。
【００２１】
第２表示部１２は、光の透過性を有しない。第２表示部１２は、ディスプレイパネル１２ａ、及びディスプレイパネル１２ａが配される筐体１２ｂ等を備える。第２表示部１２のディスプレイパネル１２ａは、例えば、液晶パネルである。なお、第２表示部１２は、光の透過性を有しないものに限られず、光の透過性を有するものであってもよい。
【００２２】
第１連結部１３は、第１表示部１１及び第２表示部１２が開状態（図１（Ａ）参照）と閉状態（図１（Ｂ）参照）とに相互に遷移するように、第１表示部１１と第２表示部１２とを連結する。開状態は、第１表示部１１と第２表示部１２とが重ならない状態である。開状態においては、第１表示部１１と第２表示部１２とで略平面を形成させることもできる。閉状態は、第１表示部１１と第２表示部１２とが重なる状態である。図１に示される第１連結部１３は、ヒンジ部である。
【００２３】
第１表示部１１と第２表示部１２とが重なる閉状態では、ユーザは、第１表示部１１側から第２表示部１２を視認することが可能である。これによって、閉状態においては、第１表示部１１の画面と第２表示部１２の画面とを重ねて視認することができる。例えば、第１表示部１１には、人の写真の画面を表示し、第２表示部には風景画面を表示することにより、あたかも第１表示部１１に表示されている写真中の人が第２表示部１２に表示されている風景の中にいるように表示することができる。また、例えば、第１表示部１１に受信したメールの文章を表示し、第２表示部１２に受信したメールに添付されている画像を表示することにより、メールの文章を読みながら、同時に画面を確認することができ、あたかもメールの文章が画像に関連付けられていることをユーザが認識できると共にメールの文章及び画像をそれぞれ確認する手間も省ける。第１表示部１１と第２表示部１２とが重なる閉状態では、各ディスプレイパネル１１ａ，１２ａは、重なるように配される。電子機器１は、第１表示部１１と第２表示部１２とが開状態となる場合には、２つの表示部１１，１２によって大画面の表示部を提供することができる。
【００２４】
電子機器１は、第１表示部１１と第２表示部１２とが閉状態となる場合には、２つの表示部１１，１２を重ねて１画面の表示部を提供することができる。
例えば、電子機器１は、第１表示部１１に動画を表示させ、第２表示部１２に文字又は静止画を表示させるように、表示部１１，１２の役割を分担させることが可能である。この場合には、電子機器１は、文字又は静止画に重ねて動画を表示することが可能であるため、種々の表示を行うことができる。
よって、電子機器１は、大画面の表示部及び１画面の表示部を提供できるので、ユーザの利便性を向上させることができる。
【００２５】
図２は、電子機器１の第２の例について説明するための図である。図２に示す電子機器１は、第１表示部１１と、第２表示部１２と、第１連結部１３と、を備える。
第１表示部１１及び第２表示部１２は、図１に示す電子機器１に用いられる第１表示部１１及び第２表示部１２と同様の構成である。
【００２６】
第１連結部１３は、第１表示部１１及び第２表示部１２が開状態（図２（Ａ）参照）と閉状態（図２（Ｂ）参照）とに相互に遷移するように、第１表示部１１と第２表示部１２とを連結する。開状態は、第１表示部１１と第２表示部１２とが重ならない状態である。開状態においては、第１表示部１１と第２表示部１２とで略平面を形成させることもできる。閉状態は、第１表示部１１と第２表示部１２とが重なる状態である。図２に示される第１連結部１３は、リンク部材である。第１連結部１３は、例えば、第１表示部１１の側面における中央部付近と、第２表示部１２の側面における端部付近とに係合する。
このような電子機器１では、第１表示部１１と第２表示部１２とが重なる閉状態では、ユーザは、第１表示部１１側から第２表示部１２を視認することが可能である。
【００２７】
これにより、電子機器１は、大画面の表示部及び１画面の表示部を提供できるので、ユーザの利便性を向上させることができる。
【００２８】
電子機器１は、検知部１４をさらに備える。検知部１４は、接触を検知する。具体的には、検知部１４は、タッチパネルである。
【００２９】
検知部１４は、第１表示部１１と第２表示部１２とが開状態に遷移した場合に、第１表示部１１に重なるよう又は第２表示部１２に重なるように相互に移動することが可能である。検知部１４は、不図示のスライド機構により、スライド移動が可能になっている。
【００３０】
図１に示すような電子機器１では、第１表示部１１と第２表示部１２とが平面を構成するような開状態となった場合に、検知部１４は、第１表示部１１及び第２表示部１２の上面を移動することが可能になる。
【００３１】
図２に示す電子機器１では、検知部１４は、以下に説明するように移動することが可能である。図３は、検知部１４の移動について説明するための図である。
第１表示部１１と第２表示部１２とが開状態に遷移した場合において、検知部１４が第１表示部１１に重なるように移動すると、検知部１４は、第１表示部１１の一方の面側に配される（図３（Ａ）参照）。一方の面とは、図３において下面のことである。よって、図３（Ａ）に示す場合では、検知部１４は、第１表示部１１の下面側に配される。第１表示部１１は透過型の表示部であるため、検知部１４が第１表示部１１の下面に配される場合でも、ユーザは、位置を確認しながら検知部１４をタッチすることができる。
【００３２】
第１表示部１１と第２表示部１２とが開状態に遷移した場合において、検知部１４が第２表示部１２に重なるように移動すると、検知部１４は、第１表示部１１の一方の面側とは反対側に面した、第２表示部１２の他方の面側に配される（図３（Ｂ）参照）。他方の面とは、図３において上面のことである。よって、図３（Ｂ）に示す場合では、検知部１４は、第２表示部１２の上面側に配される。
【００３３】
ここで、図２に示す電子機器１に配される検知部１４は、上面への接触と、下面への接触とを検知することができる。このような検知部１４は、１枚のタッチパネルで上面への接触と下面への接触を検知することができる。又は、検知部１４は、上面への接触を検知するタッチパネルと、下面への接触を検知するタッチパネルとを積層させることにより、上面への接触と下面への接触を検知することができる。
【００３４】
なお、電子機器１は、検知部１４を第１表示部１１及び第２表示部１２に亘って移動させるスライダ部（図示せず）を第１表示部１１（枠体１１ｂ）及び第２表示部１２（筐体１２ｂ）に設けた構成であってもよい。スライダ部は、第１表示部１１（枠体１１ｂ）及び第２表示部１２（筐体１２ｂ）の表裏のいずれにも設けてもよい。これにより、検知部１４は、例えば、第１表示部１１の下面側（裏側）から第２表示部１２の上面側（表側）へ移動が可能である。又は、検知部１４は、例えば、第１表示部１１の上面側（表側）から第２表示部１２の上面側（表側）へ移動が可能である。又は、検知部１４は、例えば、第１表示部１１の下面側（裏側）から第２表示部１２の下面側（裏側）へ移動が可能である。
【００３５】
また、検知部１４は、可撓性を有するタッチパネルであってもよい。また、電子機器１が折り畳み型の携帯電話機の場合、検知部１４（タッチパネル）は撓むと共に、第１筐体（上側筐体）と第２筐体（下側筐体）とを移動してもよい。
【００３６】
また、第１表示部１１と第２表示部１２とが開状態となることによって、第１表示部１１と第２表示部１２とが略平面を形成することが可能な場合には、検知部１４は、第１表示部１１及び第２表示部１２それぞれの下面側又は上面側を移動することも可能である。
【００３７】
図４は、電子機器１について説明するためのブロック図である。電子機器１は、制御部１５をさらに備える。制御部１５は、検知部１４が第１表示部１１に重なるように移動した場合には、検知部１４の検知結果に基づいて第１表示部１１に表示される画像を制御する。制御部１５は、検知部１４が第２表示部１２に重なるように移動した場合には、検知部１４の検知結果に基づいて第２表示部１２に表示される画像を制御する。
【００３８】
検知部１４が第１表示部１１及び第２表示部１２のいずれに重なったかは、例えば、第１表示部１１及び第２表示部１２のそれぞれに配されるスイッチ（図示せず）に検知部１４が接触したか否かに基づいて判断することが可能である。例えば、検知部１４が第１表示部１１に重なり、且つ、第１表示部１１にボタン（図示せず）が表示されているとした場合において、検知部１４によってボタンに対向する位置への接触を検知すると、制御部１５は、ボタンが操作されたとして、そのボタンに割り当てられた機能を実行する。例えば、検知部１４が第２表示部１２に重なり、且つ、第２表示部１２にボタン（図示せず）が表示されているとした場合において、検知部１４によってボタンに対向する位置への接触を検知すると、制御部１５は、ボタンが操作されたとして、そのボタンに割り当てられた機能を実行する。
【００３９】
なお、検知部１４が第１表示部１１側と第２表示部１２側との間に位置する場合、制御部１５は、検知部１４による接触検知に応じた表示制御を実行しなくともよい。又は、検知部１４が第１表示部１１側と第２表示部１２側との間に位置する場合、制御部１５は、検知部１４が第１表示部１１と第２表示部１２とのどこまで重なっているかを検出し、当該重なっていると検出された第１表示部１１と第２表示部１２との表示に対して、検知部１４による接触検知に応じた制御を行ってもよい。
【００４０】
これにより、電子機器１は、１つの検知部１４で２画面分の検知を行うため、コストダウンが図れると共に、低消費電力化を果たすことができる。
【００４１】
図５は、３次元表示の一例について説明するための図である。
制御部１５は、第１表示部１１と第２表示部１２とが重なる閉状態において、関連する画像を第１表示部１１と第２表示部１２とにそれぞれ表示させる。第１表示部１１と第２表示部１２とが閉状態となる場合、第１表示部１１は、第２表示部１２の上方に配される。すなわち、電子機器１のユーザは、第１表示部１１を介して第２表示部１２を視認可能になる。この場合、制御部１５は、ユーザに対して手前側に来る画像（第１画像）を第１表示部１１に表示させ、ユーザに対して第１画像よりも奥側に来る画像（第２画像）を第２表示部１２に表示させる。これにより、第１表示部１１に表示された画像が第２表示部１２に表示された画像よりも前側に表示されることになり、電子機器１は、擬似的な立体画面を表示することができる。
【００４２】
一例として、制御部１５は、第１画像としてのりんごの画像（静止画）を第１表示部１１に表示させる（図５（Ａ）参照）。また、制御部１５は、第２画像としてのバナナの画像（静止画）を第２表示部１２に表示させる（図５（Ｂ）参照）。このような例の場合では、ユーザは、バナナの手前側にりんごが配置された一枚の立体的な画像（図５（Ｃ）参照）を視認することができる。
【００４３】
図６は、第１表示部１１と第２表示部１２に表示される画像の一例について説明するための図である。
制御部１５は、第１表示部１１と第２表示部１２とが重なる閉状態において、一のコンテンツに基づく関連する画像を第１表示部１１と第２表示部１２とにそれぞれ表示させる。例えば、制御部１５は、一のコンテンツに基づいて、静止画を第１表示部１１に表示させ、動画を第２表示部１２に表示させる。第２表示部１２に表示される動画の中に浮き出させたいキャラクタが存在する場合、制御部１５は、コンテンツに基づいて、静止画と共にそのキャラクタを第１表示部１１に表示させる。これにより、電子機器１は、動画再生中にあたかもキャラクタが浮き出ているように表示することが可能になり、動画再生時のリアリティを向上させることができる。
【００４４】
一例として、制御部１５は、コンテンツに基づいて、風景の静止画を第１表示部１１に表示させる（図６（Ａ）参照）。また、制御部１５は、飛行中の飛行機と、その飛行機を見上げている人との動画を表示部に表示させる（図６（Ｂ）参照）。制御部１５は、キャラクタとしての人を強調するために、コンテンツに基づいて、人Ｃを第１表示部１１に表示させる（図６（Ｃ）参照）。これにより、電子機器１は、動画再生中に人Ｃが浮き出ているように表示することが可能になり、動画再生時のリアリティを向上させることができる。
【００４５】
制御部１５は、第１表示部１１と第２表示部１２とが閉状態に遷移した場合に、３次元表示を行うための視差バリア３１を第１表示部１１に表示させる。この場合、制御部１５は、３次元表示を行うための３次元用画像３２を第２表示部１２に表示させる。第１表示部１１と第２表示部１２とが閉状態に遷移した場合、第２表示部１２においてディスプレイパネル１２ａが配される面に対向して第１表示部１１が配される。すなわち、ユーザは、第１表示部１１を介して第２表示部１２を視認することが可能である。
【００４６】
電子機器１は、第１表示部１１と第２表示部１２とが閉状態に遷移した場合に、視差バリア方式で３次元表示を行うことが可能である。図７は、視差バリア方式について説明するための図である。視差バリア３１は、第２表示部１２に表示された３次元用画像３２を透過することが可能なスリットが複数も設けられた遮光バリアである。３次元用画像３２は、左目用の画像（１）と右目用の画像（２）とが交互に並べられた画像である。
【００４７】
ここで、例えば、第２表示部１２に学習教材の文字又は画像を表示している場合に、第１表示部１１と第２表示部１２とが閉状態に遷移すると、電子機器１は、文字又は画像を３次元で表示させてもよい。より具体的な例としては、第２表示部１２に動物の名前と解説とを表示している場合に、第１表示部１１と第２表示部１２とが閉状態に遷移すると、その動物を３次元で表示させる。より具体的な別の例としては、第２表示部１２に数学の問題と解説とを表示している場合に、第１表示部１１と第２表示部１２とが閉状態に遷移すると、数学の問題と解説とに関連する図形を三次元で表示させる。
これにより、電子機器１は、３次元表示を行うことができる。
【００４８】
電子機器１は、第１検出部１６をさらに備える。第１検出部１６は、第１表示部１１と第２表示部１２とが閉状態になったことを検出する。この場合、制御部１５は、第１検出部１６によって第１表示部１１と第２表示部１２とが閉状態になったことが検出された場合に、第１表示部１１に視差バリア３１を表示させると共に、第２表示部１２に３次元用画像３２を表示させる。
【００４９】
第１検出部１６は、例えば、ホール素子（図示せず）と、磁石（図示せず）と、を備える。ホール素子は、第１表示部１１及び第２表示部１２のうち一方に配される。磁石は、第１表示部１１及び第２表示部１２のうち他方に配される。第１表示部１１及び第２表示部１２が閉状態に遷移した場合、磁石は、ホール素子に対向する位置に配される。第１検出部１６は、ホール素子によって検出される磁力の大きさに基づいて、第１表示部１１と第２表示部１２とが閉状態になったか否かを検出する。
これにより、電子機器１は、第１検出部１６によって第１表示部１１と第２表示部１２とが閉状態になったことを検出した場合には、自動的に３次元表示を行うことができる。また、電子機器１は、第１検出部１６によって第１表示部１１と第２表示部１２とが閉状態になったことを検出しない場合には、２次元表示を行うことができる。
【００５０】
なお、第１検出部１６は、ホール素子と磁石とを備える構成に限定されることはなく、第１表示部１１と第２表示部１２との開状態又は閉状態に応じてオンオフが切り替えられるスイッチであってもよい。
【００５１】
電子機器１は、第２検出部１７をさらに備える。第２検出部１７は、第１表示部１１及び第２表示部１２の向きを検出する。この場合、制御部１５は、第２検出部１７の検出結果に基づいて、第１表示部１１に表示される視差バリア３１と、第２表示部１２に表示される３次元用画像３２との向きを変更する。第２検出部１７は、本発明の「検出部」の一実施形態に対応する。
【００５２】
第２検出部１７は、電子機器１の加速度、動き又は傾き等を検出することにより、電子機器１の姿勢を検出する。すなわち、第２検出部１７は、電子機器１は縦方向に配置されているのか、又は、横方向に配置されているのかを検出する。より具体的には、例えば、第１表示部１１と第２表示部１２とが矩形の場合には、第２検出部１７は、第１表示部１１（ディスプレイパネル１１ａ）及び第２表示部１２（ディスプレイパネル１２ａ）がユーザに向くと共に、第１表示部１１と第２表示部１２との長手方向が鉛直方向（又は略鉛直方向）に沿っているのか又は第１表示部１１と第２表示部１２との長手方向が水平方向（又は略水平方向）に沿っているのかを検出する。第２検出部１７は、例えば、重力センサ、ジャイロセンサ、加速度センサ又は角速度センサ等を備える。
【００５３】
例えば、第１表示部１１及び第２表示部１２のディスプレイパネル１１ａ，１２ａが縦長になるよう配されている場合には、制御部１５は、縦長の３次元画像を表示部１１，１２に表示させる。また、第１表示部１１及び第２表示部１２のディスプレイパネル１１ａ，１２ａが横長になるよう配されている場合には、制御部１５は、横長の３次元画像を表示部１１，１２に表示させる。
これにより、電子機器１は、第１表示部１１と第２表示部１２の姿勢が変化した場合でも、その姿勢に応じた３次元画像を表示部１１，１２に表示することができる。
【００５４】
第１表示部１１は、透明ディスプレイである。第２表示部１２は、電子ペーパーである。この場合、制御部１５は、第１表示部１１に動画を表示させるよう制御する。制御部１５は、第２表示部１２に静止画又は文字を表示させるよう制御する。
【００５５】
第１表示部１１が透明ディスプレイである場合、第１表示部１１は、動画の再生（表示）に適する。第２表示部１２が電子ペーパーである場合、第２表示部１２は、文字又は静止画の表示に適する。このため、電子機器１は、第１表示部１１と第２表示部１２とが閉状態となる場合に、第１表示部１１に動画を表示させ、第２表示部１２に文字又は静止画を表示させれば、動画、文字、静止画を高画質で表示させることが可能になる。また、動画と文字を重ね合わせて表示させることができ、かつ動画の表示スペースを文字の表示スペースに割くことがなくなるので、動画を楽しむと同時にそれに関する文字も確認でき、動画の内容の詳細を知ることができる。
【００５６】
図８は、電子機器１の第３の例について説明するための図である。電子機器１は、検知部１４と、第２連結部１８と、をさらに備えることが好ましい。検知部１４は、接触を検知する。第２連結部１８は、第２表示部１２と検知部１４とが重なるように配されることが可能になるように、第２表示部１２における第１表示部１１と連結されている一方の辺とは異なる他方の辺側において、第２表示部１２と検知部１４とを連結する。第２連結部１８は、ヒンジ部である。また、第３の例の電子機器１では、第１表示部１１と第２表示部１２とを連結する第１連結部１３は、ヒンジ部である。
【００５７】
図９は、電子機器１を側面（上面）から見た場合における、第１表示部１１、第２表示部１２及び検知部１４の折り畳み形態について説明するための図である。電子機器１は、図９（Ａ）及び図９（Ｂ）それぞれに示すように折り畳まれる。図９（Ａ）及び図９（Ｂ）に示す場合では、ユーザは、図面の下側から電子機器１を視認するようになる。
【００５８】
図９（Ａ）に示す場合では、第１表示部１１は、第２表示部１２に対して−Ｘ方向に折り畳まれる。また、図９（Ａ）に示す場合では、検知部１４は、第２表示部１２に対して＋Ｘ方向に折り畳まれる。すなわち、図９（Ａ）に示す場合では、検知部１４、第２表示部１２及び第１表示部１１は、この順番でユーザが視認する方向Ａから順に積層される。
【００５９】
一方、図９（Ｂ）に示す場合では、第１表示部１１は、第２表示部１２に対して＋Ｘ方向に折り畳まれる。また、図９（Ｂ）に示す場合では、検知部１４は、第１表示部１１に対して＋Ｘ方向に折り畳まれる。すなわち、図９（Ｂ）に示す場合では、検知部１４、第１表示部１１及び第２表示部１２は、この順番でユーザが視認する方向Ａから順に積層される。
【００６０】
第１表示部１１は、透明ディスプレイである。第２表示部１２は、電子ペーパーである。制御部１５は、第１表示部１１に動画を表示させるよう制御する。制御部１５は、第２表示部１２に静止画又は文字を表示させるよう制御する。
【００６１】
例えば、電子機器１で電子書籍を表示している場合には、制御部１５は、第２表示部１２に文字を表示させる。この場合、制御部１５は、第１表示部１１には、画像を表示させない。電子機器１で電子書籍を表示している場合に、次ページに移行するときには、制御部１５は、ページがめくられるときの動画を第１表示部１１に表示させる。このとき、制御部１５は、第２表示部１２に表示される文字を次ページの文字に書き換える。
これにより、電子機器１は、ユーザの要求に応じて折り畳みの形態を変更できるので、ユーザの利便性を向上させることができる。
なお、検知部１４を表示部にすることも可能である。この場合、電子機器１は、３層の画像表示を行うことができ、２層の擬似立体視に比べて更なる擬似立体視が可能となる。
【符号の説明】
【００６２】
１  電子機器
１１  第１表示部
１２  第２表示部
１３  第１連結部
１４  検知部
１５  制御部
１６  第１検出部
１７  第２検出部
１８  第２連結部
３１  視差バリア
３２  ３次元用画像
【図１】
2016129271.tif 000003
【図２】
2016129271.tif 000004
【図３】
2016129271.tif 000005
【図４】
2016129271.tif 000006
【図５】
2016129271.tif 000007
【図６】
2016129271.tif 000008
【図７】
2016129271.tif 000009
【図８】
2016129271.tif 000010
【図９】
2016129271.tif 000011